(57)【要約】  本発明の課題は、粘着機能と吸着機能を併せ持つ強粘構造において、より高い接着力を有する超強粘着テープを提供することにある。本発明の超強粘着テープは、粘着対象面に開口された孔２０が形成されたプラスチックフォーム材２と、孔２０の対応する位置に凹部３０を形成するようにプラスチックフォーム材２の粘着対象面に備えられた粘着剤層３とを有し、プラスチックフォーム材２の圧縮変形にともなって凹部３０が略平面状に変形し、前記プラスチックフォーム材２の弾性復帰に応じて吸着機能を有する。
2008044266.tif 000002
【特許請求の範囲】
【請求項１】
前記粘着対象面に臨むように開口された孔が形成されたプラスチックフォーム材と、
前記孔に対応する位置に凹部を形成するように前記プラスチックフォーム材の粘着対象面に備えられた粘着剤層とを有し、
前記プラスチックフォーム材の圧縮変形にともなって前記凹部が略平面状に変形し、前記プラスチックフォーム材の弾性復帰に応じて吸着機能を有することを特徴とする超強粘着テープ。
【請求項２】
前記凹部は、吸盤状であることを特徴とする請求項１記載の超強粘着テープ。
【請求項３】
前記プラスチックフォーム材をシート状基材上に形成されていることを特徴とする請求項１記載の超強粘着テープ。
【請求項４】
前記プラスチックフォーム材は、前記シート状基材の両面に粘着対象面を外側となるように形成されていることを特徴とする請求項３記載の超強粘着テープ。
【請求項５】
前記粘着剤層と接して離型処理された剥離シートが設けられ、使用時に前記剥離シートが粘着剤層から剥離されることを特徴とする請求項１記載の超強粘着テープ。
【発明の詳細な説明】
【技術分野】
【０００１】
本発明は、吸着機能を併せ備えることによって、試着面に対して安定に粘着される超強粘着テープの提供に関する。
【背景技術】
【０００２】
釘やビス等によって取り付けのできない取り付け対象物、例えばタイル面に対して各種物品を取り付ける場合や取り付け物品に釘、ビスなどの止め跡を残すことが憚かれる場合には、通常、両面粘着テープ等の粘着止め着け手段による固定、あるいは吸盤等による吸着状態での止め着けがなされている。【０００３】
かかる両面粘着テープ等を用いた取り付け物品の粘着、止め着けにあっては、取り付け物品が、取り付け対象面に対して固定的に止着されることが無く、取り付け面においてずれ出し、あるいは取り付け面から引き剥がされる等の難がある。粘着面におけるずれ出し、あるいは引き剥しは、取り付け物品の重さ等に対応して、粘着面にもたらされる荷重が大きくなるほど顕著に生ずるとともに、粘着後の時間の経過に伴って、より顕著に生ずる難がある。【０００４】
また、吸盤等の吸着機能を用いて、各種物品の取り付けをなす場合にあっては、この吸着対象とされる取り付け面の平滑性が特に厳格に要請され、物品の取り付け対象物が多くの制約を受けるという難がある。さらに、吸着機能による各種物品の取り付けにあっては、吸盤等の吸着具における構成素材の経時的な劣化により、吸着面における気密性が欠落する等の不都合を生じ易い。【０００５】
このような状況から、本願出願人は、プラスチックフォームの吸着機能を利用した強粘構造を提案している（特許文献１を参照）。この強粘構造は、粘着剤層を備えるプラスチックフォーム材において、少なくとも粘着対象面に粘着される粘着剤層を備えた面に開口されている孔が、該プラスチックフォーム材の圧縮変形後における弾性復帰に伴って、前記粘着対象面に吸着する吸着機能を備えており、粘着剤層による粘着機能と、孔による吸着機能とが、同時に取付け物の取付け面に作用することとなり、取付け物を確実に止着状態に保持することができる特長を有している。
【特許文献１】特許第３０１６７３０号公報
【０００６】
前記のように、特許文献１記載の強粘構造及びそれを備える粘着テープによれば、非常に強い接着固定力を得ることができ、しかも比較的簡単に剥がせ、剥離後に跡が残ることもない等、幾多の長所を有する。
【発明の開示】
【０００７】
本発明は、前記特許文献１記載の強粘構造を有する粘着テープより一層改良することを目的に提案されたものである。すなわち、本発明は、特許文献１記載の強粘構造よりも優れた接着力を実現することが可能な超強粘着テープを提供することを目的とする。
【０００８】
本発明の超強粘着テープは、前記粘着対象面に臨むように開口された孔が形成されたプラスチックフォーム材と、前記孔に対応する位置に凹部を形成するように前記プラスチックフォーム材の粘着対象面に備えられた粘着剤層とを有し、前記プラスチックフォーム材の圧縮変形にともなって前記凹部が略平面状に変形し、前記プラスチックフォーム材の弾性復帰に応じて吸着機能を有することを特徴とする。
【０００９】
本発明の超強粘着テープによれば、粘着剤層の吸盤状の凹部による吸着機能により、粘着剤の粘着力と吸盤状の凹部の吸着力によって粘着対象物をより強く粘着することができる。
【００１０】
また、本発明の超強粘着テープにおいて、前記凹部は、吸盤状であることを特徴とする。これにより、孔を粘着剤によって吸盤状とすることで、単なる吸着機能に比べせん断接着力が向上させることができる。
【００１１】
本発明の超強粘着テープにおいて、前記プラスチックフォーム材をシート状基材上に形成されていることを特徴とする。また、本発明の超強粘着テープにおいて、前記プラスチックフォーム材は、前記シート状基材の両面に粘着対象面を外側となるように形成されていることを特徴とする。これにより、両面に粘着することができる。
【００１２】
さらに、本発明の超強粘着テープにおいて、前記粘着剤層と接して離型処理された剥離シートが設けられ、使用時に前記剥離シートが粘着剤層から剥離されることを特徴とする。これにより、粘着剤層の経時劣化や埃等の進入を防止することができ、粘着剤層の粘着力の低下を防ぐことができる。
【００１３】
本発明の超強粘着テープによれば、粘着剤層の吸盤状の凹部による吸着機能により、粘着剤の粘着力と凹部の吸着力によって粘着対象物をより強く粘着することができる。また、孔を粘着剤によって吸盤状とすることで、従来のものに比べて著しく高いせん断接着力を実現することが可能である。
【図面の簡単な説明】
【００１４】
【図１】本発明の超強粘着テープの一例である粘着テープを示す概略断面図である。
【図２】本発明の超強粘着テープの一例である粘着テープの凹部を示す拡大断面図である。
【図３】本発明の超強粘着テープの一例である粘着テープに粘着対象物を押し付けた状態を示す拡大断面図である。
【図４】本発明の超強粘着テープの一例である両面粘着テープを示す概略断面図である。
【図５】本発明の超強粘着テープの一例である両面粘着テープの一方の面を圧縮させた状態の断面を示す図である。
【発明を実施するための最良の形態】
【００１５】
［実施の形態１］
以下、本発明の超強粘着テープについて、図面を参照して詳細に説明する。この粘着テープの基本構成は、図１のように、シート状基材１と、粘着対象面に望むように開口される孔２０及び内部に空間を有するプラスチックフォーム材２と、プラスチックフォーム材２の粘着対象面に形成される粘着剤層３と、粘着剤層３と接して離型処理された剥離シート４とにより構成されている。【００１６】
シート状基材１は、プラスチックフォーム材２と粘着剤層３とを有する強粘構造を備えるシート状の部材である。このシート状基材１は、粘着テープの用途に応じて材質等を適宜変更することができ、例えば、ポリエチレンテレフタレートといったポリマーを使用したシートとすることができる。さらに、例えばこのシート状基材１を非通気性の材料を使用することで、下記で説明する粘着剤層３の凹部３０の気密性を高めることができ、吸着機能を高めることができる。【００１７】
プラスチックフォーム材２は、内部や表面に孔２０を有する多孔質構造で、粘着テープに対する押圧にともなって圧縮変形し、この押圧を解除した際に、押圧前の状態に弾性復帰する各種のプラスチックフォーム材である。例えば、ポリウレタンフォーム材、ポリエチレンフォーム材、ポリアクリルフォーム材等が挙げられる。このプラスチックフォーム材は、実施の形態１のような粘着テープの場合、シート状基材１上に形成され、本発明の強粘構造の使用を容易にする。【００１８】
このプラスチックフォーム材２は、図１のように、少なくとも粘着対象面に孔２０が開口されている。この孔２０は、プラスチックフォーム材２の形成時に形成された孔２０であり、粘着対象面に限らず、プラスチックフォーム材２の内部に形成されている。【００１９】
このプラスチックフォーム材２は、粘着テープに対する押圧時に変形し、その押圧が解除された際に弾性復帰するものであれば、いかなる態様の発泡体孔であってもよい。例えば、連続気泡タイプのプラスチックフォーム材、独立気泡タイプのプラスチックフォーム材、及び独立気泡と連続気泡との混在タイプのプラスチックフォーム材等、任意のフォ−ム材を用いることができる。【００２０】
粘着剤層３は、粘着剤からなる層で、少なくとも、プラスチックフォーム材２の粘着対象面に形成されている。そして、この粘着剤層３は、プラスチックフォーム材２の粘着対象面にある孔２０に対応する位置に凹部３０が形成されている。【００２１】
この凹部３０は、プラスチックフォーム材２の孔２０に孔２０の大方を埋めるように粘着剤が入り込んでいる。そして、図２のように、凹部３０の中心近傍が孔２０に入り込むように凹部３０の中心に向かって徐々に深くする。この吸盤状の凹部３０は、粘着剤の量や層の厚さを調節して、このような形状いわゆる吸盤状となるように形成されている。この凹部３０の吸着機能により粘着対象物を吸着することができる。そして、凹部３０を吸盤状とすることで、凹部３０と粘着対象物との気密性が高くなり、吸着力が向上する。したがって、吸盤としての機能が向上し、高いせん断接着力が実現され、粘着対象物をより強く粘着することができる。また、押しつけることで、強いせん断接着力が実現される。【００２２】
この凹部３０を吸盤状とするためには、プラスチックフォーム材２の孔２０が気泡１つによって形成されている方が好ましい。あるいは、２つ以上の気泡が連なって形成された状態であっても、例えば気泡１つから２つ程度のあまり深くない孔２０が好ましい。深すぎる孔の場合、粘着剤層３の形成時に凹部３０の略中央のくぼみが深くなり、粘着対象物の粘着の際に凹部３０が略平面となりにくくなり、凹部３０の気密性が損なわれる。【００２３】
したがって、気泡１つすなわち単独気泡タイプのフォーム材を使用するか、連続気泡タイプ又は混在タイプのフォーム材の場合、プラスチックフォーム材２の厚さを薄くしたものを使用することで好適となる。例えば、プラスチックフォーム材２の厚さを１０ｍｍから０．０１ｍｍとすることが好ましい。さらに好ましくは、プラスチックフォーム材２の厚さが０．５ｍｍから０．０５ｍｍである。プラスチックフォーム材２の厚さを薄くすることで、単独の気泡を増加させることができ、２つ以上の気泡が連なって形成された孔２０であっても、１つから２つ程度のあまり深くないものとなる。したがって、孔２０の大部分を粘着剤によって埋めるのが容易となる。【００２４】
粘着剤層３は、典型的には、溶剤タイプのウレタン系粘着剤、溶剤タイプのアクリル系粘着剤、あるいはエマルジョンタイプの酢酸ビニル系粘着剤、紫外線硬化型接着剤等を用いることができる。例えば、粘着剤層３は、比較的粘性の強い粘着剤を、ローラーコーティング法等によって、プラスチックフォーム材２の貼着面に塗布することによって形成することができる。【００２５】
また、この粘着剤層３の凹部３０を非気密構造とすることで、より強い吸着機能が得られる。そのために、例えば、プラスチックフォーム材２の粘着対象面に、その形状に合わせ、粘着剤層３の凹部３０の形成を阻害しない程度に薄く合成樹脂を塗布して、粘着剤層３の凹部３０への通気を防ぐことができ、吸着機能が向上する。また、また、例えば、プラスチックフォーム材の貼着面以外の面に合成樹脂液を塗布し、貼着面以外の面を非通気性の樹脂コーティング面としても同様の効果が得られる。【００２６】
剥離シート４は、粘着テープが粘着対象物に粘着する前に粘着剤層３に接するように設けられている。この剥離シート４は、すくなくとも、粘着剤層３と接する面に離型処理が施され、容易に粘着剤層３から剥離することができる。【００２７】
このように形成される粘着テープは、粘着剤による粘着機能と、粘着剤層３に形成された凹部３０の吸着機能とが、同時に粘着対象物５に作用し、粘着対象物相互を確実に粘着することができる。すなわち、この粘着テープは、プラスチックフォーム材２における粘着対象面、粘着剤層３の凹部３０の開口周縁が、粘着剤によって、粘着対象面に対して粘着されることとなり、このプラスチックフォーム材２に吸着機能をもたらす孔の吸着面に対する気密状態での密着を可能としている。【００２８】
上述のように構成される粘着テープにおいては、図２及び図３のように粘着対象物５を粘着テープの粘着機能と吸着機能とにより、強固に粘着することができる。図２は、粘着テープに粘着対象物５が粘着する前の状態を示す図であり、図３は、粘着対象物５の粘着テープに対する押圧によって、粘着テープに粘着させている状態を示す図である。【００２９】
図２のように、粘着テープの粘着剤層３には、吸盤状の凹部３０が形成されている。この粘着テープに粘着対象物５を粘着する際、剥離シート４を剥離し、表出した粘着剤層３に対する粘着対象物５の押圧によって、プラスチックフォーム材２が弾性圧縮する。このとき、プラスチックフォーム材２の孔２０が変形する。そして、この孔２０の対応する位置に形成されている吸盤状の凹部３０が粘着対象物５に押し付けられる。【００３０】
凹部３０が粘着対象物５に押し付けられることで、図３のように、凹部３０の粘着対象物５との接触部分が略平面となる。これにより、凹部３０と粘着対象物５とが密着し、粘着対象物５が押し付ける前に存在した凹部３０内の空気が外に逃げ、負圧となる。すなわち、粘着対象物５に対して凹部３０が吸着する。したがって、粘着対象物５の粘着テープに対する押圧を解除しても、凹部３０の吸着機能により、粘着対象物５を吸着することができる。また、同時に、粘着剤層３０の粘着機能を有するため、粘着対象物５を粘着テープにより強固に粘着させることができる。また、凹部３０が吸盤状であるため、せん断接着力が強い。【００３１】
このようにして構成される粘着テープにおいては、粘着対象物に対して、圧縮後における弾性復帰に伴う孔の有する吸着機能と、この孔を有する面における粘着剤層による粘着機能とによって、強固な止着状態を作り出すことができる。そして、凹部３０が吸盤としての機能を備えることで、せん断接着力が向上する。一方、凹部３０は吸盤として機能するため、粘着対象物を粘着テープから引き剥がすことで容易に引き剥がすことができる。【００３２】
［実施の形態２］
実施の形態１で説明した粘着テープは、片面の粘着テープに限られるものではなく、例えば、シート状基材の両面に粘着対象面を外側となるようにプラスチックフォーム材を有するような両面粘着テープであってもよい。【００３３】
この両面粘着テープは、図４のように、シート状基材１の両面に、プラスチックフォーム材２と、粘着剤層３と、剥離シート４とを備えている。そして、プラスチックフォーム材２の粘着対象面には、孔２０を備えている。そして、粘着剤層３は、その孔２０の対応する位置に吸盤状の凹部３０を備えている。尚、実施の形態２で説明する両面粘着テープの各部材は、同一の番号を付し、説明を省略する。【００３４】
両面に強粘構造を備えた両面粘着テープとすることで、粘着テープの両側から２つの粘着対象物５の粘着テープに対する押圧によって、上述と同様に、粘着テープの粘着剤層３０に２つの粘着対象物５が押し付けられる。２つの粘着対象物５が押し付けられることで、凹部３０が粘着対象物５に対して略平面となり、吸着機能が生じ、粘着テープが粘着機能と吸着機能とによって強固に粘着する。また、凹部３０が吸盤状であることで、せん断接着力が高くなる。また、粘着対象物５を両面粘着テープから引き剥がすことも容易である。【００３５】
図５は、一方の面が圧縮された状態の両面粘着テープの断面を示す写真である。シート状基材１は、プラスチックフォーム材２と粘着剤層３が備えられ、図５にはシート状基材１を構成する繊維１０が確認できる。そして、シート状基材１の図５中下方には、シート状基材１から粘着剤層３に向かうように空隙３５が形成されている。一方、シート状基材１の図５中上方は、プラスチックフォーム材２が圧縮されている。粘着対象物を粘着させる際に、この粘着テープを図５のような状態となるように粘着対象物を押しつけることで、吸着力が向上し、粘着対象物をより強く粘着することができるとともに、強いせん断接着力が実現される。
【図１】
2008044266.tif 000003
【図２】
2008044266.tif 000004
【図３】
2008044266.tif 000005
【図４】
2008044266.tif 000006
【図５】
2008044266.tif 000007
【国際調査報告】
2008044266.tif 000008
2008044266.tif 000009
2008044266.tif 000010
2008044266.tif 000011